(57)【特許請求の範囲】
【請求項１】
透光性の基板に指標部が設けられた表示板と、この表示板の背後側に設けられた光源と、を備えてなる表示装置において、前記表示板には、その表面に施した金属粉を含有した第１の半透過性金属調印刷層と、その第１の半透過性金属調印刷層と同色にて第１の半透過性金属調印刷層の表面上に前記指標部の形状部分を除いて施した金属粉を含有した第２の半透過性金属調印刷層と、からなることを特徴とする表示装置。
【請求項２】
前記第２の半透過性金属調印刷層に含まれる金属粉の含有率を、前記第１の半透過性金属調印刷層に含まれる金属粉の含有率よりも高く設定してなることを特徴とする請求項１に記載の表示装置。
【請求項３】
前記表示板の背面には、前記第２の半透過性金属調印刷層に合わせて前記指標部の形状部分を除くように遮光印刷層を施してなることを特徴とする請求項１または請求項２に記載の表示装置。
【請求項４】
透光性の基板に指標部が設けられた表示板と、この表示板の背後側に設けられた光源と、を備えてなる表示装置において、前記表示板には、その表面部分に少なくとも前記指標部の領域に対応して金属粉を含有した第１の半透過性金属調印刷層を設けるとともに、その第１の半透過性金属調印刷層と同色にて前記指標部の形状部分を除いて金属粉を含有した第２の半透過性金属調印刷層を設け、前記第２の半透過性金属調印刷層の透過率を前記第１半透過性金属調印刷層より低く設定してなることを特徴とする表示装置。
【請求項５】
前記第２の半透過性金属調印刷層に含まれる金属粉の含有率を、前記第１の半透過性金属調印刷層に含まれる金属粉の含有率よりも高く設定してなることを特徴とする請求項４に記載の表示装置。
【請求項６】
前記表示板の背面には、前記第２の半透過性金属調印刷層に合わせて前記指標部の形状部分を除くように遮光印刷層を施してなることを特徴とする請求項４または請求項５に記載の表示装置。
【発明の詳細な説明】
【技術分野】
【０００１】
本発明は、光源からの照射光線で表示板を透過照明する表示装置に関するものである。
【背景技術】
【０００２】
従来、たとえば建設機械などの特殊車輌や船舶、あるいは自動車、オートバイなどに装備される計器装置として、速度計，回転計，燃料計などの計器類や各種装置の状態を運転者に知らせるための警報装置などが合成樹脂製の計器ケース内に収納されている。この場合、たとえば自動車などの車輌に装備される各種走行情報を表示する計器装置の一般的な構成としては、図６および図７に示すように、計器装置の計器ケース１内には、速度計、回転計、燃料計などの車輌の運転状況を指示する指示計器が収納され、この指示計器における表示装置として、図示しない計器本体の前面側に透光性の基板２Ａからなる表示板２を取り付け固定し、計器本体に形成された指針３の指示を前記表示板２の表面に設けた目盛や数値などの指標部４と対比して読み取ることができるように構成している。
【０００３】
また計器ケース１の内部には、エンジンの油圧の状態，ライトの点灯状態，エンジンオイルレベルの状態，あるいは燃料残量表示などの各種車輌状態を光源となる発光ダイオード５などを点灯させて知らせる表示装置などが設けられており、この場合、前記車輌などの状態を知らせる表示項目数と同数に各々区画して発光ダイオード５の照射光線が外部へと漏れ出ないように隔絶し、前記表示装置側へ光線を案内する略筒状からなる壁部６を設け、この壁部６の下方にはそれぞれ発光ダイオード５が回路基板７上に配設されるとともに、計器装置の表面側すなわち筒状の各壁部６の上方には前記表示板２の表面に、たとえば図形化した絵表示による表示部（指標部）８を印刷して表示装置を構成している。
【０００４】
このような従来の表示装置によれば、表示部８が通常有彩色に着色印刷されたものであるため、光源である発光ダイオード５の不点灯時であっても、表示板２に設けられた表示部８が視認され、その存在が目立ってしまい、外観意匠上好ましくないという問題があった。
【０００５】
そこで、この点を考慮するものとして、特許文献１のように、光源の不点灯時において表示部である指標部が見えないようにし、光源が点灯した時にのみ表示部である指標部が照明表示されるようにしたものが提案されている。
【特許文献１】実公平４−１７９７４号公報
【発明の開示】
【発明が解決しようとする課題】
【０００６】
しかしながら、上述した特許文献１などの表示装置においては、透明な基板の表示窓部の範囲に黒色半透明層が塗布され、この表示窓部の部分を抜いて黒色艶消し層が印刷などの手段によって設けられている。これにより光源の不点灯時において表示部である指標部（表示窓部）が見えてしまうことがないため、表示窓部のブラックフェイス化が一層優れたものとなるという効果が得られるものの、表示基板の表面部分が単に黒色系の表示面となるために高級感が得られない表示パネルになってしまうといった問題が残されている。
【０００７】
そこで本発明は、前述の課題に対して対処するため、表示装置の基板に施される印刷層自体を半透過性金属調印刷層を基調として形成することにより、高級感のある金属調の材質感を得ることのできる表示装置を提供することを目的とする。
【課題を解決するための手段】
【０００８】
本発明は、前述した課題を解決するため、請求項１では、透光性の基板に指標部が設けられた表示板と、この表示板の背後側に設けられた光源と、を備えてなる表示装置において、前記表示板には、その表面に施した金属粉を含有した第１の半透過性金属調印刷層と、その第１の半透過性金属調印刷層と同色にて第１の半透過性金属調印刷層の表面上に前記指標部の形状部分を除いて施した金属粉を含有した第２の半透過性金属調印刷層と、からなることを特徴とする表示装置である。
【０００９】
また請求項２では、請求項１に記載の表示装置において、前記第２の半透過性金属調印刷層に含まれる金属粉の含有率を、前記第１の半透過性金属調印刷層に含まれる金属粉の含有率よりも高く設定してなることを特徴とするものである。
【００１０】
また請求項３では、請求項１または請求項２に記載の表示装置において、前記表示板の背面には、前記第２の半透過性金属調印刷層に合わせて前記指標部の形状部分を除くように遮光印刷層を施してなることを特徴とするものである。
【００１１】
また請求項４では、透光性の基板に指標部が設けられた表示板と、この表示板の背後側に設けられた光源と、を備えてなる表示装置において、前記表示板には、その表面部分に少なくとも前記指標部の領域に対応して金属粉を含有した第１の半透過性金属調印刷層を設けるとともに、その第１の半透過性金属調印刷層と同色にて前記指標部の形状部分を除いて金属粉を含有した第２の半透過性金属調印刷層を設け、前記第２の半透過性金属調印刷層の透過率を前記第１半透過性金属調印刷層より低く設定してなることを特徴とする表示装置である。
【００１２】
また請求項５では、請求項４に記載の表示装置において、前記第２の半透過性金属調印刷層に含まれる金属粉の含有率を、前記第１の半透過性金属調印刷層に含まれる金属粉の含有率よりも高く設定してなることを特徴とするものである。
【００１３】
また請求項６では、請求項４または請求項５に記載の表示装置において、前記表示板の背面には、前記第２の半透過性金属調印刷層に合わせて前記指標部の形状部分を除くように遮光印刷層を施してなることを特徴とするものである。
【発明の効果】
【００１４】
本発明では、表示板には、その表面に施した金属粉を含有した第１の半透過性金属調印刷層と、その第１の半透過性金属調印刷層と同色にて第１の半透過性金属調印刷層の表面上に指標部の形状部分を除いて施した金属粉を含有した第２の半透過性金属調印刷層と、からなることを特徴とする表示装置であるため、金属調の装飾的効果を実現できるとともに、光源の不点灯時において表示部である指標部が見えないように形成し、光源が点灯した時にのみ表示部である指標部が透過照明表示されるものであり、これにより初期の目的を達成することができる。
【発明を実施するための最良の形態】
【００１５】
本発明の請求項１では、透光性の基板に指標部が設けられた表示板と、この表示板の背後側に設けられた光源と、を備えてなる表示装置において、前記表示板には、その表面に施した金属粉を含有した第１の半透過性金属調印刷層と、その第１の半透過性金属調印刷層と同色にて第１の半透過性金属調印刷層の表面上に指標部の形状部分を除いて施した金属粉を含有した第２の半透過性金属調印刷層と、からなることを特徴とする表示装置であるため、金属調の装飾的効果を実現できるとともに、光源の不点灯時において表示部である指標部が見えないように形成し、光源が点灯した時にのみ表示部である指標部が照明表示されるものであり、これにより、表示装置の基板に施される印刷層自体を半透過性金属調印刷層を基調として形成することにより、高級感のある金属調の材質感を得ることのできる表示装置を提供することができる。
【００１６】
また、請求項１に記載の表示装置において、第２の半透過性金属調印刷層に含まれる金属粉の含有率を、第１の半透過性金属調印刷層に含まれる金属粉の含有率よりも高く設定してなることにより、光源の点灯時において表示部である指標部を指標部以外の箇所より明るく透過照明することができる。（請求項２）
【００１７】
また、請求項１または請求項２に記載の表示装置において、表示板の背面には、第２の半透過性金属調印刷層に合わせて指標部の形状部分を除くように遮光印刷層を施してなることにより、光源の点灯時において表示部である指標部のみを明るく透過照明することができる。（請求項３）
【００１８】
また、本発明の請求項４では、透光性の基板に指標部が設けられた表示板と、この表示板の背後側に設けられた光源と、を備えてなる表示装置において、前記表示板には、その表面部分に少なくとも前記指標部の領域に対応して金属粉を含有した第１の半透過性金属調印刷層を設けるとともに、その第１の半透過性金属調印刷層と同色にて前記指標部の形状部分を除いて金属粉を含有した第２の半透過性金属調印刷層を設け、前記第２の半透過性金属調印刷層の透過率を前記第１半透過性金属調印刷層より低く設定してなることを特徴とする表示装置であるため、金属調の装飾的効果を実現できるとともに、光源の不点灯時において表示部である指標部が見えないように形成し、光源の点灯時に表示部である指標部が明るく透過照明表示されるものであり、また表示装置の基板に施される印刷層自体を半透過性金属調印刷層を基調として形成することにより、高級感のある金属調の材質感を得ることのできる表示装置を提供することができる。
【００１９】
また、請求項４に記載の表示装置において、第２の半透過性金属調印刷層に含まれる金属粉の含有率を、第１の半透過性金属調印刷層に含まれる金属粉の含有率よりも高く設定してなることにより、第２の半透過性金属調印刷層の透過率を第１の半透過性金属調印刷層の透過率より低く抑えられるように設定することができ、これにより光源の点灯時において表示部である指標部を指標部以外の箇所より明るく透過照明することができる。（請求項５）
【００２０】
また、請求項４に記載の表示装置において、表示板の背面には、第２の半透過性金属調印刷層に合わせて前記指標部の形状部分を除くように遮光印刷層を施してなることにより、光源の点灯時において表示部である指標部のみを明るく透過照明することができる。（請求項６）
【００２１】
以下、添付図面に基づいて、本発明の表示装置を車輌用の計器計器に適用した実施例として説明する。なお、前述した従来例と同一あるいは均等箇所には同一符号を用いて説明する。
【実施例１】
【００２２】
本発明の第１実施例を図１および図２に示す。この種の計器装置に組み込まれる表示装置として、中央に速度計からなる指示計器と、左側に回転計からなる指示計器と、右側に燃料計からなる指示計器と、走行距離表示器やギヤポジション表示器や各種検出表示器などの表示装置が配置され、それぞれが計器ケース１内に収容されている。
【００２３】
この場合、指示計器における表示装置として、図示しない計器本体の前面側に表示板２を取り付け固定し、計器本体に形成された指針３の指示を前記表示板２の表面に設けた目盛や数値などの指標部４と対比して読み取ることができるように構成している。
【００２４】
また従来例と同様にして、計器ケース１の内部には、エンジンの油圧の状態，ライトの点灯状態，エンジンオイルレベルの状態，あるいは燃料残量表示やシートベルトの装着状態の表示などの各種車輌状態を、光源となる発光ダイオード５などを点灯させて知らせる表示装置が設けられており、この場合、前記車輌などの状態を知らせる表示項目数と同数に各々区画して発光ダイオード５の照射光線が外部へと漏れ出ないように隔絶し、前記表示装置側へ光線を案内する筒状からなる壁部６を設け、この壁部６の下方にはそれぞれ発光ダイオード５が回路基板７上に配設されるとともに、計器装置の表面側すなわち筒状の各壁部６の上方には前記表示板２の表面に、たとえば図形化した絵表示などによる表示部（指標部）８が施されている。
【００２５】
表示板２は透明な合成樹脂からなるほぼ平板状の基板２Ａからなり、その表示板２上の表示装置の領域には、表示板２の表面部分にアルミによる金属粉を含有したシルバー色の第１の半透過性金属調印刷層１１を印刷形成し、その第１の半透過性金属調印刷層１１表面上に、図形化した絵表示などによる表示部（指標部）８の形状部分を除いて第１の半透過性金属調印刷層１１と同色で、かつアルミによる金属粉を含有したシルバー色の第２の半透過性金属調印刷層１２が印刷形成されている。
【００２６】
また、この第１実施例にあっては、第２の半透過性金属調印刷層１２に含まれる金属粉の含有率を、第１の半透過性金属調印刷層１１に含まれる金属粉の含有率よりも高く設定している。
【００２７】
従って、光源である発光ダイオード５が不点灯時にあっては、同色からなる第１の半透過性金属調印刷層１１と第２の半透過性金属調印刷層１２とによって表示板２の表面部分を覆うことによって表示部である指標部８がほとんど見えない状態となり、金属調の装飾的効果を実現できるとともに、表示装置の基板２Ａに施される印刷層自体を半透過性金属調印刷層１１，１２を基調として形成することにより、高級感のある金属調の材質感を得ることのできる。
【００２８】
また光源である発光ダイオード５の点灯時にあっては、表示部である指標部８が照明表示されるものであり、この場合、第１実施例では第２の半透過性金属調印刷層１２に含まれる金属粉の含有率を、第１の半透過性金属調印刷層１１に含まれる金属粉の含有率よりも高く設定してなることにより、第２の半透過性金属調印刷層１２の透過率を第１の半透過性金属調印刷層１１の透過率より低く抑えられるように設定することができ、これにより、単に半透過性金属調印刷層を重ね印刷するよりも、第２の半透過性金属調印刷層１２の透過率を第１の半透過性金属調印刷層１１の透過率より低く抑えらるように設定することによって、光源である発光ダイオード５の点灯時において表示部である指標部８を指標部８以外の箇所より明るく、指標部８以外の箇所を比較的暗く透過照明することができるものであり、明暗による透過照明によって指標部８箇所を明確に照明表示することができるという効果がある。なお、この際、透過率を任意に設定することにより第１の半透過性金属調印刷層１１と第２の半透過性金属調印刷層１２を重ね印刷することによって不透過状態にも設定することが可能である。
【実施例２】
【００２９】
図４は、本発明の第２実施例を示す表示板２の概要を示す要部の断面図であり、この場合、表示板２は、前述した第１実施例と同様にして、表示板２の表面部分にアルミによる金属粉を含有したシルバー色の第１の半透過性金属調印刷層１１を印刷形成し、その第１の半透過性金属調印刷層１１表面上に、図形化した絵表示などによる表示部（指標部）８の形状部分を除いて第１の半透過性金属調印刷層１１と同色で、かつアルミによる金属粉を含有したシルバー色の第２の半透過性金属調印刷層１２が印刷形成されている。
【００３０】
また表示板２の背面には、第２の半透過性金属調印刷層１２の印刷領域に合わせて指標部８の形状部分を除くように黒色インクなどからなる遮光印刷層１３を施して構成している。
【００３１】
従って、光源である発光ダイオード５が不点灯時にあっては、前述した第１実施例と同様に、同色からなる第１の半透過性金属調印刷層１１と第２の半透過性金属調印刷層１２とによって表示板２の表面部分を覆うことによって表示部である指標部８がほとんど見えない状態となり、金属調の装飾的効果を実現できるとともに、表示装置の基板２Ａの表面に施される印刷層自体を半透過性金属調印刷層１１，１２を基調として形成することにより、高級感のある金属調の材質感を得ることのできる。
【００３２】
また光源である発光ダイオード５の点灯時にあっては、表示部である指標部８のみが透過照明表示される。すなわち、表示板２の背面に形成された遮光印刷層１３によって光源８からの光線が遮断されるため、発光ダイオード５の点灯時において表示部である指標部８のみを明るく透過照明することができる。
【実施例３】
【００３３】
図５は、本発明の第３実施例を示す表示板２の概要を示す要部の断面図であり、この場合、表示板２には、その表面部分に少なくとも指標部８の領域に対応して金属粉を含有した第１の半透過性金属調印刷層１１を設けるとともに、その第１の半透過性金属調印刷層１１と同色にて指標部８の形状部分を除いて金属粉を含有した第２の半透過性金属調印刷層１２を設け、第２の半透過性金属調印刷層１２の透過率を第１半透過性金属調印刷層１１より低く設定してなるように構成している。
【００３４】
この際、透過率の設定手段として、この第３実施例においては第２の半透過性金属調印刷層１２に含まれる金属粉の含有率を、第１の半透過性金属調印刷層１１に含まれる金属粉の含有率よりも高く設定してなることにより、第２の半透過性金属調印刷層１２の透過率を第１の半透過性金属調印刷層１１の透過率より低く抑えられるように設定している。
【００３５】
従って、光源である発光ダイオード５が不点灯時にあっては、前述した各実施例と同様にして同色からなる第１の半透過性金属調印刷層１１と第２の半透過性金属調印刷層１２とによって表示板２の表面部分を覆うことによって表示部である指標部８がほとんど見えない状態となり、表示装置の基板２Ａの表面に施される印刷層自体を半透過性金属調印刷層１１，１２を基調として形成することにより、高級感のある金属調の材質感を得ることのできる。
【００３６】
また光源である発光ダイオード５の点灯時にあっては、表示部である指標部８が照明表示されるものであり、この場合、第１実施例では第２の半透過性金属調印刷層１２に含まれる金属粉の含有率を、第１の半透過性金属調印刷層１１に含まれる金属粉の含有率よりも高く設定してなることにより、第２の半透過性金属調印刷層１２の透過率を第１の半透過性金属調印刷層１１の透過率より低く抑えられるように設定することができ、これにより光源である発光ダイオード５の点灯時において表示部である指標部８を指標部８以外の箇所より明るく透過照明することができる。
【実施例４】
【００３７】
図６は、本発明の第４実施例を示す表示板２の概要を示す要部の断面図であり、この場合、表示板２は、前述した第３実施例とほぼ同様にして、表示板２には、その表面部分に少なくとも指標部８の領域に対応して金属粉を含有した第１の半透過性金属調印刷層１１を設けるとともに、その第１の半透過性金属調印刷層１１と同色にて指標部８の形状部分を除いて金属粉を含有した第２の半透過性金属調印刷層１２を設けて構成している。
【００３８】
また表示板２の背面には、第２の半透過性金属調印刷層１２の印刷領域に合わせて指標部８の形状部分を除くように黒色インクなどからなる遮光印刷層１３を施して構成している。
【００３９】
従って、光源である発光ダイオード５が不点灯時にあっては、前述した各実施例と同様にして同色からなる第１の半透過性金属調印刷層１１と第２の半透過性金属調印刷層１２とによって表示板２の表面部分を覆うことによって表示部である指標部８がほとんど見えない状態となり、表示装置の基板１０の表面に施される印刷層自体を半透過性金属調印刷層１１，１２を基調として形成することにより、高級感のある金属調の材質感を得ることのできる。
【００４０】
また光源である発光ダイオード５の点灯時にあっては、表示部である指標部８のみが透過照明表示される。すなわち、表示板２の背面に形成された遮光印刷層１３によって光源８からの光線が遮断されるため、発光ダイオード５の点灯時において表示部である指標部８のみが明るく透過照明される。
【００４１】
なお本発明は、前述した実施例に限定されるものではなく本発明の要旨の範囲内において種々の変形実施が可能である。たとえば、実施例においては、光源である発光ダイオード５の照明色について指定はしなかったが、表示部８（指標部）の内容に合わせて適宜照明色を青、緑、青、白など適宜設定して透過照明するようにしても良いものであり、また光源である発光ダイオード５自体を３原色の発光が可能な光源を用いることによって照明色を切り換えることも可能であり、また光源の色合いを白色とし、たとえば表示板２の裏面にカラーフィルタやカラー印刷により照明色を設定するようにしても良いものである。また半透過性金属調印刷層１１，１２の透過率を設定する手段として実施例では金属粉の含有量を任意に変えながら設定することにより行っていたが、印刷の厚みを変えたりあるいは重ね印刷を施すことにより透過率を変えることも可能である。
【産業上の利用可能性】
【００４２】
表示装置として、車輌の状態や異常時において警報表示して知らせる表示装置を例にして説明したが、指示計器の走行状態を指示する計器の指標部の表示や車輌以外のリモコンの表示部の照明，表示を行う表示装置やコピー機械の操作スイッチ類の表示部の透過照明用としての表示装置などにも適用することが可能である。
【図面の簡単な説明】
【００４３】
【図１】図１は、本発明の第１実施例における計器装置に組み込まれた表示装置を示す正面図である。
【図２】図２は、図１のＡ−Ａ線箇所を示す断面図および表示板の要部を示す概略断面図である。
【図３】図３は、本発明の第２実施例を示す表示装置の断面図と表示板の要部を示す概略断面図である。
【図４】図４は、本発明の第３実施例を示す表示装置の断面図と表示板の要部を示す概略断面図である。
【図５】図５は、本発明の第４実施例を示す表示装置の断面図と表示板の要部を示す概略断面図である。
【図６】図６は、従来の計器装置に組み込まれた表示装置を示す正面図である。
【図７】図７は、図６のＡ−Ａ線箇所を示す断面図である。
【符号の説明】
【００４４】
１      計器ケース
２      表示板
２Ａ    基板
３      指針
４      指標部（目盛，数値）
５      発光ダイオード５（光源）
６      壁部
７      回路基板
８      指標部（絵表示などによる表示部）
１１      第１の半透過性金属調印刷層
１２      第２の半透過性金属調印刷層
１３      遮光印刷層
【図１】
0004797696.tif 000002
【図２】
0004797696.tif 000003
【図３】
0004797696.tif 000004
【図４】
0004797696.tif 000005
【図５】
0004797696.tif 000006
【図６】
0004797696.tif 000007
【図７】
0004797696.tif 000008